(57)【要約】【課題】ロックレバーを硬すぎる感触とはならないようスムーズに操作することができる軒樋支持具を提供する。【解決手段】ストッパー座金４０は、ロックレバー３０の基板部３１に対する面に、樋支持具本体２０の幅方向に延びた膨出突条４２を有し、膨出突条４２の長手方向の略中央に突起４２ａを有しており、ロックレバー３０の基板部３１は、膨出突条４２に乗り上げることでロック状態とするための圧接部３６と、ロック状態での突起４２ａとの圧接を回避する固定用凹部３４と、回転操作でロック状態に至るまでの回転軌道部位５０に対応した、突起４２ａとの圧接を回避する圧接回避用凹部３５とを有している。【選択図】図１
2019011624.tif 000002
【特許請求の範囲】
【請求項１】
建築構造物に固定される取付杆と、該取付杆に対してスライド可能に連結され、前後方向の両端部に樋耳支持部を有した樋支持具本体と、横方向に回転操作される、前記樋支持具本体に対面する基板部を有したロックレバーとを備え、これらを重ねて上下に貫通する固定具で連結し、前記樋支持具本体が前記取付杆に対して前後方向の所望の位置で固定されるようにした軒樋支持具において、
前記樋支持具本体と前記ロックレバーとの間には、前記ロックレバーの回転操作により、前記取付杆と前記樋支持具本体とを、ロック状態とアンロック状態とに切り替えできるようにした板状のストッパー座金が介装されており、
前記ストッパー座金は、前記ロックレバーの前記基板部に対する面に、前記樋支持具本体の幅方向に延びた膨出突条を有し、該膨出突条の長手方向の略中央に突起を有しており、
前記ロックレバーの前記基板部は、前記膨出突条に乗り上げることで前記ロック状態とするための圧接部と、前記ロック状態での前記突起との圧接を回避する固定用凹部と、前記回転操作で前記ロック状態に至るまでの回転軌道部位に対応した、前記突起との圧接を回避する圧接回避用凹部とを有していることを特徴とする軒樋支持具。
【請求項２】
請求項１において、
前記固定用凹部は開口とされ、前記圧接部は前記固定用凹部の両側に隣接して設けられ、前記圧接回避用凹部は前記圧接部の外側に開口として設けられ、それらは前記ロックレバーの幅方向に略直線状に並んでなることを特徴とする軒樋支持具。
【発明の詳細な説明】
【技術分野】
【０００１】
本発明は、横方向に回転操作して、樋支持具本体と取付杆とのロック／アンロック切り替え操作ができるロックレバーを有した軒樋支持具に関する。
【背景技術】
【０００２】
従来、横回転ロック式の軒樋支持具には、ロックレバーの回転操作でロックレバーの基板部（圧接部）がストッパー座金の膨出突条に乗り上げて圧接することで、樋支持具本体と取付杆とをロック状態にできるようになっている（たとえば、特許文献１参照）。
【０００３】
同文献の軒樋支持具のストッパー座金は、ロックレバーの基板部に対する面に、樋支持具本体の幅方向に延びる膨出突条を有し、さらにその膨出突条の長手方向の略中央に突起を有している。一方のロックレバーの基板部は、ロック状態での突起との圧接を回避する固定用凹部（開口）を有している。
【０００４】
回転操作により基板部は突起を圧接しながら、固定用凹部が突起の位置に到達すると突起との接触が解除される。その解除タイミングでは、解除による小さな音が発生するとともに、操作者はそれまでの回転操作による基板部と突起との圧接感触とは異なる、やや緩んだ感触をおぼえる。つまり、操作者は、そのような音や感触により、操作部位を視認しなくても正しいロック位置を判別することができる。また、ロック状態を解除する際には基板部が突起を乗り越えなければならないので、突起と固定用凹部の合致位置ではロック状態は安定化する。
【先行技術文献】
【特許文献】
【０００５】
【特許文献１】特開２００２−３３２７２９号公報
【発明の概要】
【発明が解決しようとする課題】
【０００６】
しかしながら、突起はわずかではあるが膨出突条よりもさらに突出しているため、回転操作による基板部と突起との擦り動きながらの圧接はきわめて重たく、操作がしにくいほど硬くて強い力を要するおそれがある。
【０００７】
本発明は、このような事情を考慮して提案されたもので、その目的は、ロックレバーを硬すぎる感触とはならないようスムーズに操作することができる軒樋支持具を提供することにある。
【課題を解決するための手段】
【０００８】
上記目的を達成するために、請求項１に記載の軒樋支持具は、建築構造物に固定される取付杆と、該取付杆に対してスライド可能に連結され、前後方向の両端部に樋耳支持部を有した樋支持具本体と、横方向に回転操作される、前記樋支持具本体に対面する基板部を有したロックレバーとを備え、これらを重ねて上下に貫通する固定具で連結し、前記樋支持具本体が前記取付杆に対して前後方向の所望の位置で固定されるようにした軒樋支持具において、前記樋支持具本体と前記ロックレバーとの間には、前記ロックレバーの回転操作により、前記取付杆と前記樋支持具本体とを、ロック状態とアンロック状態とに切り替えできるようにした板状のストッパー座金が介装されており、前記ストッパー座金は、前記ロックレバーの前記基板部に対する面に、前記樋支持具本体の幅方向に延びた膨出突条を有し、該膨出突条の長手方向の略中央に突起を有しており、前記ロックレバーの前記基板部は、前記膨出突条に乗り上げることで前記ロック状態とするための圧接部と、前記ロック状態での前記突起との圧接を回避する固定用凹部と、前記回転操作で前記ロック状態に至るまでの回転軌道部位に対応した、前記突起との圧接を回避する圧接回避用凹部とを有していることを特徴とする。
【０００９】
請求項２に記載の軒樋支持具は、前記固定用凹部は開口とされ、前記圧接部は前記固定用凹部の両側に隣接して設けられ、前記圧接回避用凹部は前記圧接部の外側に開口として設けられ、それらは前記ロックレバーの幅方向に略直線状に並んでなることを特徴とする。
【発明の効果】
【００１０】
請求項１に記載の軒樋支持具は、上述の構成となっているため、ロック／アンロック状態間の操作において、ロックレバーを、硬すぎる感触とはならないようスムーズに操作することができる。
【００１１】
請求項２に記載の軒樋支持具は、上述の構成となっているため、圧接部の膨出突条に対する圧接も回避でき、そのような圧接による回転操作の負荷をさらに小さくすることができる。
【図面の簡単な説明】
【００１２】
【図１】本発明の一実施形態に係る軒樋支持具の分解斜視図である。
【図２】（ａ）は軒樋支持具に用いられるロックレバーの展開図、（ｂ）は同底面図である。
【図３】（ａ）はストッパー座金の平面図、（ｂ）は同側面図である。
【図４】軒樋支持具の要部を拡大した概略縦断面図である。（ａ）はアンロック状態、（ｂ）はロック状態の図である。
【図５】軒樋支持具の要部を拡大した概略底面図である。（ａ）はアンロック状態、（ｂ）はロック状態の図である。
【図６】（ａ）ストッパー座金に対する突起の軌跡を示すロックレバーの平面図、（ｂ）はロックレバーの他例を示す平面図である。
【発明を実施するための形態】
【００１３】
以下に、本発明の実施の形態に係る軒樋支持具について、添付図面にもとづいて説明する。まず、図１に示した軒樋支持具１の基本構成について説明する。
【００１４】
この軒樋支持具１は、建築構造物に固定される取付杆１０と、取付杆１０に対してスライド可能に連結され、前後方向の両端部に樋耳支持部２２、２２を有した樋支持具本体２０と、横方向に回転操作される、樋支持具本体２０に対面する基板部３１を有したロックレバー３０とを備えている。軒樋支持具１は、これらの部材を重ねて上下に貫通する固定具３で連結し、樋支持具本体２０が取付杆１０に対して前後方向の所望の位置で固定されるようにした軒樋支持具である。
【００１５】
樋支持具本体２０とロックレバー３０との間には、ロックレバー３０の回転操作により、取付杆１０と樋支持具本体２０とを、ロック状態とアンロック状態とに切り替えできるようにした板状のストッパー座金４０が介装されている。
【００１６】
このストッパー座金４０は、ロックレバー３０の基板部３１に対する面に、樋支持具本体２０の幅方向に延びた膨出突条４２を有し、膨出突条４２の長手方向の略中央に突起４２ａを有している。一方、ロックレバー３０の基板部３１は、膨出突条４２に乗り上げることでロック状態とするための圧接部３６と、ロック状態での突起４２ａとの圧接を回避する固定用凹部３４と、回転操作でロック状態に至るまでの回転軌道部位５０（図６（ａ）参照）に対応した、突起４２ａとの圧接を回避する圧接回避用凹部３５、３５Ａとを有している。
【００１７】
以下に、この軒樋支持具１の構成および作用効果について、図１〜図６を参照しながら説明する。
【００１８】
軒樋支持具１を構成する主要部材である、取付杆１０、樋支持具本体２０、ストッパー座金４０、ロックレバー３０の４部材は、上から上記の順に重ねられ、固定具３を構成するリベット３で連結されるものである。
【００１９】
ロックレバー３０はロック、アンロック状態を切り替え操作するための部材であり、これを横方向（取付時においては略水平方向）にロック状態にするように回転操作すると、所定の位置で４材がロックされた（固定された）状態となる。一方、回転操作によりアンロック状態にしたときには、出具合調節のための樋支持具本体２０のスライドが可能な状態となる。つまり、アンロック状態では、ロックレバー３０は軸位置が取付杆１０と変わらず一定の位置にとどまるが、それらの間に挟まれた樋支持具本体２０のみはスライド移動可能な状態となる。
【００２０】
この軒樋支持具１には、樋支持具本体２０を取付杆１０に圧接固定してスライドをロックする一方、圧接を解除してアンロックするための、ロックレバー３０を有したロック機構が設けられている。
【００２１】
ロックレバー３０は、リベット３の軸部３ｃが貫通する挿通孔３２を有した基板部３１と、基板部３１の両側端より下方に延設されたレバー部３３とを備えた構成とされる。この基板部３１における両レバー部３３間の略中央位置にはロック状態を確定するための開口した２つの固定用凹部３４が形成されている。これら２つの固定用凹部３４間の略中央位置にリベット３を通す挿通孔３２が開設されている。
【００２２】
ロックレバー３０は、図２（ａ）の展開図に示すように、１枚の板材を加工してなり、基板部３１と、一対のレバー部３３、３３とともに一体に形成されたものである。
【００２３】
このロックレバー３０は、図１に示すように、ロック状態ではレバー部３３が樋支持具本体２０の長手方向に対して平行となる。つまり、基板部３１の長手方向が前後方向に一致する。図１の例では、基板部３１の湾曲した端部が前方に配され、他の端部が後方に配されているが、ロックレバー３０は一方向、反方向への横回転が自在であるため、ロック状態で、湾曲した端部が後方に配され、他の端部が前方に配される場合もある。なお、操作のしやすさを考慮して、図例のように挿通孔３２が前後の一方側に寄って形成されていることが望ましい。
【００２４】
上述したように、基板部３１の前後のそれぞれには固定用凹部３４が形成されている。それぞれの固定用凹部３４の両側（両レバー部３３側）には、図２（ａ）（ｂ）に示すように、レバー部３３の基部（立ち上がり部）にいたるまで開口窓が形成されている。この開口窓が上記の圧接回避用凹部３５を構成する。圧接回避用凹部３５と固定用凹部３４との間の、固定用凹部３４の長手方向に沿う細幅状の部位（基板部３１の一部）が上記の圧接部３６を構成する。このロックレバー３０操作時のストッパー座金４０との相互動作については、図４および図５の説明において詳述する。
【００２５】
ストッパー座金４０は、図３（ａ）に示すように、ロックレバー３０の基板部３１と略同外形形状、略同寸法の矩形状の板状体とされる。図３（ａ）（ｂ）に示すように、このストッパー座金４０の底面側の前後には、幅方向に長く、山形状に膨出した膨出突条４２が形成してある。この膨出突条４２の峰の中央には略半球状の突起４２ａが形成してある。また、ストッパー座金４０の中央にはリベット３の軸部３ｃが貫通する軸孔部４１が開設してある。
【００２６】
また、ストッパー座金４０の上面側には、軸孔部４１の前後の対称位置に樋支持具本体２０の下面に形成された凹凸部２４の凹部２４ａ（図４および図５参照）に係止される、切り起こしにより形成された一対の係止片４３を備えている。
【００２７】
取付杆１０、樋支持具本体２０、ストッパー座金４０、ロックレバー３０の４部材をリベット３で連結し、ロックレバー３０を図１に示したように、樋支持具本体２０の長手方向に向けて配したときには、つまりロック状態にしたときには、後述する図４（ａ）に示すように、ストッパー座金４０の膨出突条４２とロックレバー３０の固定用凹部３４とが重なり、膨出突条４２の突起４２ａが固定用凹部３４の位置に合致する。本例では、固定用凹部３４が開口で形成されているため、図４（ａ）に示すように、突起４２ａは下面側に露出する。
【００２８】
取付杆１０は、軒先等に固定される取付足板１１の上端中央から前方に向けて足杆１２が延設され、この足杆１２の前方に段落ち形成された連結片部１３を有してなる。この連結片部１３には、下方に配設、重合する樋支持具本体２０、ストッパー座金４０、ロックレバー３０に対してリベット３で連結するための軸孔部１４が開設されている。
【００２９】
樋支持具本体２０は、長板状のスライド板本体２１の前後両端に、図１に示したような軒樋５を吊り下げ支持するための樋耳支持部２２を有している。なお、樋耳支持部２２は図例のものに限定されず、軒樋５の形状に応じて種々のものを採用できる。
【００３０】
また、スライド板本体２１の幅方向の中央には長手方向に沿って長孔２３が開設されている。この長孔２３は取付杆１０、ロックレバー３０の間に重合し、軸連結するための出具合調節用のスライド用孔である。
【００３１】
スライド板本体２１の板面の長孔２３の幅方向の両側には、段階的な出具合で固定するための、長手方向に連続する凹凸部２４が形成されている。なお、本例の樋支持具本体２０では上下両面に連続凹凸が形成してあるが、下面のみに形成してあってもよい。
【００３２】
この軒樋支持具１は、図１に示すように、取付杆１０、樋支持具本体２０、ストッパー座金４０およびロックレバー３０の４部材の各軸孔にリベット頭３ａを上にしてリベット３を挿通し、ロックレバー３０の基板部３１の下側に突出したリベット３の下端をかしめ止めすることで連結されるようになっている。ロック状態のときには、リベット頭３ａと、かしめ部３ｂとの間に、上記４部材が相互固定した状態で挟まれている。なお、図１には、かしめ部３ｂを２点鎖線で示した。
【００３３】
また、スライド板本体２１の幅方向の端部には垂下片状の補強リブ２５が形成され、それら補強リブ２５間の凹部にストッパー座金４０が配設されており、ストッパー座金４０は両補強リブ２５により回転が阻止されている。
【００３４】
ついで、図４および図５を参照しながら、軒樋支持具１のロック／アンロック状態の切り替え動作について説明する。
【００３５】
図４は、上記４部材がリベット３で連結された軒樋支持具１の概略底面図である。図４（ａ）はロック状態、図４（ｂ）はアンロック状態での各概略底面図である。また、ロック状態に対応した軒樋支持具１の概略縦断面図が図５（ａ）であり、アンロック状態に対応した軒樋支持具１の概略縦断面図が図５（ｂ）である。なお、図４（ａ）（ｂ）および図５（ａ）（ｂ）の各図は模式図である。また、図５（ｂ）のロックレバー３０の位置は図４（ｂ）の２点鎖線で示したものに対応している。
【００３６】
ロック状態とは、図４（ａ）および図５（ａ）に示すように、ロックレバー３０の基板部３１の長手方向が、図１のように樋支持具本体２０の長手方向に合致した状態であり、その状態では、取付杆１０、樋支持具本体２０、ストッパー座金４０、ロックレバー３０の４部材は、膨出突条４２と圧接部３６との圧接作用により固定されている。
【００３７】
一方、アンロック状態とは、図４（ｂ）および図５（ｂ）に示すように、ロックレバー３０の基板部３１の長手方向が樋支持具本体２０の長手方向に正しく向いていない状態であり、上記４部材は固定が解除された状態にある。
【００３８】
さらに具体的には、ロック状態とは、ロックレバー３０の基板部３１の圧接部３６がストッパー座金４０の膨出突条４２に乗り上げ、ついで基板部３１の固定用凹部３４に膨出突条４２の突起４２ａが入り込み、かつストッパー座金４０の係止片４３が凹凸部２４の凹部２４ａに入りこみ係止された状態位置を言う（図４（ａ）および図５（ａ）参照）。このとき、樋支持具本体２０、ストッパー座金４０およびロックレバー３０の基板部３１は、膨出突条４２と圧接部３６との相互圧接により固定された状態にある。
【００３９】
なお、突起４２ａが固定用凹部３４からずれた位置で膨出突条４２と圧接部３６とが相互圧接している状態は、圧接により固定はされているが、圧接部３６は突起４２ａをアンロック側に向け乗り越えてしまっているので、不安定な過渡的な状態とされる。
【００４０】
一方、アンロック状態とは、ロックレバー３０の基板部３１がストッパー座金４０の膨出突条４２から外れた状態を言う（図４（ｂ）および図５（ｂ）参照）。このとき、樋支持具本体２０、ストッパー座金４０およびロックレバー３０の基板部３１は相互の圧接固定が解除された状態にある。
【００４１】
本軒樋支持具１は、アンロック状態（ロックレバー３０がたとえば図４（ｂ）の２点鎖線の位置にある状態）からロック状態に移行する際には、突起４２ａに圧接部３６が一時的に乗り上げて強固な圧接状態となるが、さらにロック側に摺り動けば、突起４２ａは圧接部３６からずれて固定用凹部３４に入り込んで適正なロック状態となる。
【００４２】
このように突起４２ａが強固な圧接状態から固定用凹部３４の位置に移動することで、圧接状態がやや弱まる。そのタイミングで操作者はそれまでの回転操作による基板部３１（圧接部３６）と突起４２ａとの圧接感触とは異なる、やや緩んだ感触をおぼえる。つまり、操作者は、そのタイミングでの音や感触により、操作部位を視認しながらでなくても正しいロック位置を判別することができる。
【００４３】
逆に、ロック状態から図４（ｂ）の２点鎖線の位置に移行する際には、固定用凹部３４の位置に配されていた突起４２ａが圧接部３６に一時的に強固に圧接され、その後、圧接が解除される。このように圧接部３６はロック状態の解除を規制するための規制部としても作用する。
【００４４】
また、図６（ａ）に示すように、本軒樋支持具１は、基板部３１の幅方向の両端部に、突起４２ａの回転軌道部位５０（軌跡）を含むように開口した圧接回避用凹部３５が形成されている。そのため、圧接部３６を小さく（細幅状に）形成でき、そのため圧接部３６が突起４２ａ（図６（ａ）における×位置）に乗り上げるのは、操作においてわずかな時間間隔となる。つまり、操作が硬くなる時間間隔は回転操作において一瞬であり、操作者は、ロックレバー３０を硬すぎる感触とはならないようスムーズに操作することができる。もちろん、この操作者の感覚はロック状態、アンロック状態間のいずれの方向の移行においても同様である。
【００４５】
特に本軒樋支持具１は、圧接回避用凹部３５が大きめの開口窓で構成されているため、基板部３１は圧接部３６を除けば膨出突条４２にほとんど接触することがなく、きわめてやわらかなロック／アンロック操作が可能となる。
【００４６】
ロックレバー３０とストッパー座金４０とは相互に回転する動作をなすため、突起４２ａの基板部３１に対する回転軌道部位５０（軌跡）は図６（ａ）に示すように円を描く。したがって、突起４２ａのみとの圧接を回避しようとすれば、図６（ｂ）のように上記軌跡に沿った圧接回避用凹部３５Ａが形成されたロックレバー３０であってもよい。もちろんこの圧接回避用凹部３５Ａは開口でなくてもよい。
【００４７】
以上に示した本実施形態の軒樋支持具１は、ロックレバー３０の回転操作により、前後で点対称的な２箇所においてロック／アンロック動作をなす構成となっているため、確実、強固なロックがなされる。圧接部３６、圧接回避用凹部３５、３５Ａについても回転軌道部位５０における前後対称位置にあるので、乗り上げやその解除が前後でずれることなく、スムーズな動作となる。
【符号の説明】
【００４８】
１            軒樋支持具
３            リベット（固定具）
５            軒樋
１０          取付杆
１１          取付足板
１２          足杆
１３          連結片部
１４          軸孔部
２０          樋支持具本体
２１          スライド板本体
２２          樋耳支持部
２３          長孔
２４          凹凸部
２４ａ        凹部
２５          補強リブ
３０          ロックレバー
３１          基板部
３２          挿通孔
３３          レバー部
３４          固定用凹部
３５、３５Ａ  圧接回避用凹部
３６          圧接部
Ｓ            隙間
４０          ストッパー座金
４１          軸孔部
４２          膨出突条
４２ａ        突起
４３          係止片
５０          回転軌道部位
【図１】
2019011624.tif 000003
【図２】
2019011624.tif 000004
【図３】
2019011624.tif 000005
【図４】
2019011624.tif 000006
【図５】
2019011624.tif 000007
【図６】
2019011624.tif 000008
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
建築構造物に固定される取付杆と、該取付杆に対してスライド可能に連結され、前後方向の両端部に樋耳支持部を有した樋支持具本体と、横方向に回転操作される、前記樋支持具本体に対面する基板部を有したロックレバーとを備え、これらを重ねて上下に貫通する固定具で連結し、前記樋支持具本体が前記取付杆に対して前後方向の所望の位置で固定されるようにした軒樋支持具において、
前記樋支持具本体と前記ロックレバーとの間には、前記ロックレバーの回転操作により、前記取付杆と前記樋支持具本体とを、ロック状態とアンロック状態とに切り替えできるようにした板状のストッパー座金が介装されており、
前記ストッパー座金は、前記ロックレバーの前記基板部に対する面に、前記樋支持具本体の幅方向に延びた膨出突条を有し、該膨出突条の長手方向の略中央に突起を有しており、
前記ロックレバーの前記基板部は、前記膨出突条に乗り上げることで圧接状態とする圧接部と、該圧接状態において、前記突起との圧接を回避し前記ロック状態にする固定用凹部と、前記アンロック状態において、前記回転操作による前記突起の軌跡とされる回転軌道部位を含む、前記突起との圧接を回避する圧接回避用凹部とを有していることを特徴とする軒樋支持具。
【請求項２】
請求項１において、
前記固定用凹部は開口とされ、前記圧接部は前記固定用凹部の両側に隣接して設けられ、前記圧接回避用凹部は前記圧接部の外側に開口として設けられ、それらは前記ロックレバーの幅方向に略直線状に並んでなることを特徴とする軒樋支持具。
【手続補正２】
【補正対象書類名】明細書
【補正対象項目名】０００８
【補正方法】変更
【補正の内容】
【０００８】
上記目的を達成するために、請求項１に記載の軒樋支持具は、建築構造物に固定される取付杆と、該取付杆に対してスライド可能に連結され、前後方向の両端部に樋耳支持部を有した樋支持具本体と、横方向に回転操作される、前記樋支持具本体に対面する基板部を有したロックレバーとを備え、これらを重ねて上下に貫通する固定具で連結し、前記樋支持具本体が前記取付杆に対して前後方向の所望の位置で固定されるようにした軒樋支持具において、前記樋支持具本体と前記ロックレバーとの間には、前記ロックレバーの回転操作により、前記取付杆と前記樋支持具本体とを、ロック状態とアンロック状態とに切り替えできるようにした板状のストッパー座金が介装されており、前記ストッパー座金は、前記ロックレバーの前記基板部に対する面に、前記樋支持具本体の幅方向に延びた膨出突条を有し、該膨出突条の長手方向の略中央に突起を有しており、前記ロックレバーの前記基板部は、前記膨出突条に乗り上げることで圧接状態とする圧接部と、該圧接状態において、前記突起との圧接を回避し前記ロック状態にする固定用凹部と、前記アンロック状態において、前記回転操作による前記突起の軌跡とされる回転軌道部位を含む、前記突起との圧接を回避する圧接回避用凹部とを有していることを特徴とする。
【手続補正３】
【補正対象書類名】明細書
【補正対象項目名】００１２
【補正方法】変更
【補正の内容】
【００１２】
【図１】本発明の一実施形態に係る軒樋支持具の分解斜視図である。
【図２】（ａ）は軒樋支持具に用いられるロックレバーの展開図、（ｂ）は同底面図である。
【図３】（ａ）はストッパー座金の平面図、（ｂ）は同側面図である。
【図４】軒樋支持具の要部を拡大した概略縦断面図である。（ａ）はロック状態、（ｂ）はアンロック状態の図である。
【図５】軒樋支持具の要部を拡大した概略底面図である。（ａ）はロック状態、（ｂ）はアンロック状態の図である。
【図６】（ａ）ストッパー座金に対する突起の軌跡を示すロックレバーの平面図、（ｂ）はロックレバーの他例を示す平面図である。